(57)【要約】【課題】小屋床パネルと建物ユニットを同便で輸送できるようにするとともに、小屋裏の床面からその下の階の床面までの高さが階段の高さに合うようにする。【解決手段】建物ユニット１４の上面にブラケット３０を倒伏した状態で建物ユニット１４とブラケット３０を締結し、小屋床パネル２０を建物ユニット１４の上に配置して、ブラケット３０を小屋床パネル２０の側面に締結し、その後、小屋床パネル２０、建物ユニット１４及びブラケット３０を建築現場に輸送し、その後、建物ユニット１４とブラケット３０の締結を解除し、小屋床パネル２０とブラケット３０の締結を緩め、その後、ブラケット３０を回転して、ブラケット３０を小屋床パネル２０から下方に延出させてブラケット３０を立てた状態にし、その後、ブラケット３０を建物ユニット１４に締結して、ブラケット３０を小屋床パネル２０の側面に締結する。【選択図】図８
2014037704.tif 000002
【特許請求の範囲】
【請求項１】
複数本の天井梁、複数本の床梁及び複数本の柱を骨組みしてなる建物ユニットの上面にブラケットを倒伏した状態で前記建物ユニットと前記ブラケットを締結するとともに、複数本の梁材を枠組みしてなる小屋床パネルを前記建物ユニットの上に配置して、前記ブラケットを前記小屋床パネルの側面に締結し、
その後、前記小屋床パネル、前記建物ユニット及び前記ブラケットを建築現場に輸送し、
その後、前記建物ユニットと前記ブラケットの締結を解除するとともに、前記小屋床パネルの側面と前記ブラケットの締結を緩め、
その後、前記ブラケットを前記小屋床パネルに対して回転することによって、前記ブラケットを前記小屋床パネルの下面から下方に延出させるとともに前記ブラケットを前記建物ユニットの上面に立て、
その後、前記ブラケットを前記建物ユニットに締結するとともに、前記ブラケットを前記小屋床パネルの側面に締結する、
ことを特徴とする建物ユニットと小屋床パネルの組付方法。
【請求項２】
前記ブラケットを前記建物ユニットの上面に倒伏して前記ブラケットを前記小屋床パネルの側面及び前記建物ユニットに締結した状態において、前記小屋床パネルの下面の高さを前記建物ユニットの上面の高さに揃える、
ことを特徴とする請求項１に記載の建物ユニットと小屋床パネルの組付方法。
【請求項３】
前記ブラケットを前記建物ユニットの上面に立てて前記ブラケットを前記小屋床パネルの側面及び前記建物ユニットに締結した状態において、前記小屋床パネルの下面を前記建物ユニットの上面から上に離す、
ことを特徴とする請求項１又は２に記載の建物ユニットと小屋床パネルの組付方法。
【請求項４】
上から見て、前記小屋床パネルのサイズが前記建物ユニットのサイズよりも小さい、
ことを特徴とする請求項１から３の何れか一項に記載の建物ユニットと小屋床パネルの組付方法。
【請求項５】
前記ブラケットを前記建物ユニットの上面に倒伏して前記ブラケットを前記小屋床パネルの側面及び前記建物ユニットに締結する際には、一組のボルト・ナットによって前記小屋床パネルの側面及び前記建物ユニットを締結し、
前記ブラケットを前記建物ユニットの上面に立てて前記ブラケットを前記小屋床パネルの側面及び前記建物ユニットに締結する際には、複数組のボルト・ナットによって前記小屋床パネルの側面及び前記建物ユニットを締結する、
ことを特徴とする請求項１から４の何れか一項に記載の建物ユニットと小屋床パネルの組付方法。
【請求項６】
複数本の天井梁、複数本の床梁及び複数本の柱を骨組みしてなる建物ユニットの上面にブラケットを倒伏した状態で前記建物ユニットと前記ブラケットを締結し、複数本の梁材を枠組みしてなる小屋床パネルを前記建物ユニットの上に配置し、前記ブラケットを前記小屋床パネルの側面に締結した状態で、
前記小屋床パネル、前記建物ユニット及び前記ブラケットを建築現場に輸送する、
ことを特徴とする建物ユニットと小屋床パネルの輸送方法。
【請求項７】
複数本の天井梁、複数本の床梁及び複数本の柱を骨組みしてなる建物ユニットと、
複数本の梁材を枠組みしてなるとともに、前記建物ユニットの上に配置された小屋床パネルと、
前記建物ユニットの上面に倒伏した状態で前記建物ユニットに締結されているとともに、前記小屋床パネルの側面に締結されたブラケットと、を備える、
ことを特徴とする建物ユニットと小屋床パネルの仮組体。
【請求項８】
複数本の天井梁、複数本の床梁及び複数本の柱を骨組みしてなる建物ユニットと、
複数本の梁材を枠組みしてなるとともに、前記建物ユニットの上に配置された小屋床パネルと、
前記小屋床パネルの側面に締結されているとともに、前記小屋床パネルの下面から下方に延出して前記建物ユニットの上面に立った状態で前記建物ユニットに締結されたブラケットと、を備える、
ことを特徴とする建物ユニットと小屋床パネルの本組体。
【発明の詳細な説明】
【技術分野】
【０００１】
本発明は、建物ユニットと小屋床パネルの組付方法、建物ユニットと小屋床パネルの輸送方法、建物ユニットと小屋床パネルの仮組体、建物ユニットと小屋床パネルの本組体に関する。
【背景技術】
【０００２】
従来、上階と屋根の間に小屋裏空間が設けられたユニット式建物がある（例えば、特許文献１、特許文献２参照）。ユニット式建物の施工では、工場で製造された複数の箱状建物ユニットを建築現場に輸送し、クレーン等を用いてこれらの建物ユニットを並べて組み合わせ、上階の建物ユニットの上に小屋床パネル（小屋パネル、小屋裏パネル）を設置し、小屋床パネル或いは上階の建物ユニットの上に複数の束を立設し、これら束の上端に屋根パネルを設置する（特許文献２参照）。
【先行技術文献】
【特許文献】
【０００３】
【特許文献１】特開２００９−２１５８号公報
【特許文献２】特開２０１０−１７４５１２号公報
【発明の概要】
【発明が解決しようとする課題】
【０００４】
ユニット式建物に利用される複数の小屋床パネルも工場で製造される。小屋床パネルは建物ユニットとは別便にて建築現場に輸送されるので、輸送コストが増大してしまう。
小屋床パネルの輸送コストを削減するべく、小屋床パネルを建物ユニットの上に設置した状態で、小屋床パネルと建物ユニットを同便で輸送することも考えられる。しかし、小屋床パネルの上端までの高さが輸送上の高さ制限を超えてしまう。高さ制限に抵触しないように、小屋床パネルの梁成を低くすることも考えられる。しかし、小屋床パネルの梁成を低くすると、小屋裏の床面とその下の階の床面までの高さも低くなり、小屋裏の床面とその下の階の床面までの高さが階段の高さに合わなくなってしまう。
そこで、本発明の目的は、小屋床パネルと建物ユニットを同便で輸送できるようにするとともに、小屋裏の床面からその下の階の床面までの高さが階段の高さに合うようにすることである。
【課題を解決するための手段】
【０００５】
上記課題を解決するための請求項１に係る発明は、複数本の天井梁１４ａ，１４ｂ、複数本の床梁１４ｃ，１４ｄ及び複数本の柱１４ｅを骨組みしてなる建物ユニット１４の上面にブラケット３０を倒伏した状態で前記建物ユニット１４と前記ブラケット３０を締結するとともに、複数本の梁材２１，２２を枠組みしてなる小屋床パネル２０を前記建物ユニット１４の上に配置して、前記ブラケット３０を前記小屋床パネル２０の側面に締結し、その後、前記小屋床パネル２０、前記建物ユニット１４及び前記ブラケット３０を建築現場に輸送し、その後、前記建物ユニット１４と前記ブラケット３０の締結を解除するとともに、前記小屋床パネル２０の側面と前記ブラケット３０の締結を緩め、その後、前記ブラケット３０を前記小屋床パネル２０に対して回転することによって、前記ブラケット３０を前記小屋床パネル２０の下面から下方に延出させるとともに前記ブラケット３０を前記建物ユニット１４の上面に立て、その後、前記ブラケット３０を前記建物ユニット１４に締結するとともに、前記ブラケット３０を前記小屋床パネル２０の側面に締結する、ことを特徴とする建物ユニット１４と小屋床パネル２０の組付方法である。
【０００６】
請求項１に係る発明によれば、ブラケット３０を倒伏した状態で小屋床パネル２０及び建物ユニット１４を輸送するから、その輸送の際に、建物ユニット１４の下面から小屋床パネル２０の上面までの高さを低くすることができる。そのため、建物ユニット１４の下面から小屋床パネル２０の上面までの高さが輸送上の高さ制限を超えない。よって、建物ユニット１４と小屋床パネル２０を同便で輸送することができ、輸送コストの削減を図ることができる。
また、建築現場では、ブラケット３０を建物ユニット１４の上面に立てた状態にするから、建物ユニット１４の下面から小屋床パネル２０の上面までの高さを高めることができる。そのため、小屋床パネル２０の梁成を低くしても、建物ユニット１４の下面から小屋床パネル２０の上面までの高さを階段の高さに合わせることができる。
【０００７】
請求項２に係る発明は、前記ブラケット３０を前記建物ユニット１４の上面に倒伏して前記ブラケット３０を前記小屋床パネル２０の側面及び前記建物ユニット１４に締結した状態において、前記小屋床パネル２０の下面の高さを前記建物ユニット１４の上面の高さに揃える、ことを特徴とする請求項１に記載の建物ユニット１４と小屋床パネル２０の組付方法である。
【０００８】
請求項２に係る発明によれば、ブラケット３０が倒伏した状態では、小屋床パネル２０の下面の高さが建物ユニット１４の上面の高さに揃っているから、小屋床パネル２０及び建物ユニット１４の輸送の際に、建物ユニット１４の下面から小屋床パネル２０の上面までの高さを低くすることができる。
【０００９】
請求項３に係る発明は、前記ブラケット３０を前記建物ユニット１４の上面に立てて前記ブラケット３０を前記小屋床パネル２０の側面及び前記建物ユニット１４に締結した状態において、前記小屋床パネル２０の下面を前記建物ユニット１４の上面から上に離す、ことを特徴とする請求項１又は２に記載の建物ユニット１４と小屋床パネル２０の組付方法である。
【００１０】
請求項３に係る発明によれば、ブラケット３０が立った状態では、小屋床パネル２０の下面が建物ユニット１４の上面から離れているので、建物ユニット１４の下面から小屋床パネル２０の上面までの高さを高めることができる。そのため、小屋床パネル２０の梁成を低くしても、建物ユニット１４の下面から小屋床パネル２０の上面までの高さを階段の高さに合わせることができる。
【００１１】
請求項４に係る発明は、上から見て、前記小屋床パネル２０のサイズが前記建物ユニット１４のサイズよりも小さい、ことを特徴とする請求項１から３の何れか一項に記載の建物ユニット１４と小屋床パネル２０の組付方法である。
【００１２】
請求項４に係る発明によれば、ブラケット３０を小屋床パネル２０の側面に締結しつつ、ブラケット３０を建物ユニット１４に締結することができる。そのため、ブラケット３０を小屋床パネル２０の側面から外さずに、ブラケット３０と小屋床パネル２０の締結を緩めるだけで、ブラケット３０を立てるように回転することができる。
【００１３】
請求項５に係る発明は、前記ブラケット３０を前記建物ユニット１４の上面に倒伏して前記ブラケット３０を前記小屋床パネル２０の側面及び前記建物ユニット１４に締結する際には、一組のボルト４０・ナット４１によって前記小屋床パネル２０の側面及び前記建物ユニット１４を締結し、前記ブラケット３０を前記建物ユニット１４の上面に立てて前記ブラケット３０を前記小屋床パネル２０の側面及び前記建物ユニット１４に締結する際には、複数組のボルト４０・ナット４１によって前記小屋床パネル２０の側面及び前記建物ユニット１４を締結する、ことを特徴とする請求項１から４の何れか一項に記載の建物ユニット１４と小屋床パネル２０の組付方法である。
【００１４】
請求項５に係る発明によれば、輸送前に一組のボルト４０・ナット４１を締め、輸送後にその一組のボルト４０・ナット４１を緩めるから、作業効率が向上する。また、ブラケット３０の回転後に複数組のボルト４０・ナット４１によってブラケット３０と小屋床パネル２０を締結するから、締結力が向上する。
【００１５】
請求項６に係る発明は、複数本の天井梁１４ａ，１４ｂ、複数本の床梁１４ｃ，１４ｄ及び複数本の柱１４ｅを骨組みしてなる建物ユニット１４の上面にブラケット３０を倒伏した状態で前記建物ユニット１４と前記ブラケット３０を締結し、複数本の梁材２１，２２を枠組みしてなる小屋床パネル２０を前記建物ユニット１４の上に配置し、前記ブラケット３０を前記小屋床パネル２０の側面に締結した状態で、前記小屋床パネル２０、前記建物ユニット１４及び前記ブラケット３０を建築現場に輸送する、ことを特徴とする建物ユニット１４と小屋床パネル２０の輸送方法である。
【００１６】
請求項６に係る発明によれば、小屋床パネル２０及び建物ユニット１４の輸送の際に、建物ユニット１４の下面から小屋床パネル２０の上面までの高さが輸送上の高さ制限を超えないようにすることができる。よって、建物ユニット１４と小屋床パネル２０を同便で輸送することができ、輸送コストの削減を図ることができる。
【００１７】
請求項７に係る発明は、複数本の天井梁１４ａ，１４ｂ、複数本の床梁１４ｃ，１４ｄ及び複数本の柱１４ｅを骨組みしてなる建物ユニット１４と、複数本の梁材２１，２２を枠組みしてなるとともに、前記建物ユニット１４の上に配置された小屋床パネル２０と、前記建物ユニット１４の上面に倒伏した状態で前記建物ユニット１４に締結されているとともに、前記小屋床パネル２０の側面に締結されたブラケット３０と、を備える、ことを特徴とする建物ユニット１４と小屋床パネル２０の仮組体である。
【００１８】
請求項７に係る発明によれば、ブラケット３０が倒伏した状態であるから、建物ユニット１４の下面から小屋床パネル２０の上面までの高さを低くすることができる。そのため、建物ユニット１４の下面から小屋床パネル２０の上面までの高さが輸送上の高さ制限を超えず、建物ユニット１４と小屋床パネル２０を同便で輸送することができる。
【００１９】
請求項８に係る発明は、複数本の天井梁１４ａ，１４ｂ、複数本の床梁１４ｃ，１４ｄ及び複数本の柱１４ｅを骨組みしてなる建物ユニット１４と、複数本の梁材２１，２２を枠組みしてなるとともに、前記建物ユニット１４の上に配置された小屋床パネル２０と、前記小屋床パネル２０の側面に締結されているとともに、前記小屋床パネル２０の下面から下方に延出して前記建物ユニット１４の上面に立った状態で前記建物ユニット１４に締結されたブラケット３０と、を備える、ことを特徴とする建物ユニット１４と小屋床パネル２０の本組体である。
【００２０】
請求項８に係る発明によれば、ブラケット３０が立った状態であるから、小屋床パネル２０の梁成を低くしても、建物ユニット１４の下面から小屋床パネル２０の上面までの高さを階段の高さに合わせることができる。
【発明の効果】
【００２１】
本発明によれば、建物ユニットと小屋床パネルを同便で輸送することができ、輸送コストの削減を図ることができる。また、小屋床パネルの梁成を低くしても、建物ユニットの下面から小屋床パネルの上面までの高さを階段の高さに合わせることができる。
【図面の簡単な説明】
【００２２】
【図１】ユニット式建物の概略斜視図である。
【図２】建物ユニットの斜視図である。
【図３】建物ユニット及び小屋床パネルの平面図である。
【図４】図３に図示の矢印Ａの方向に向かって見て示した図面である。
【図５】図４に図示の矢印Ｂの方向に向かって見て示した図面である。
【図６】図３に図示の矢印Ａの方向に向かって見て示した図面である。
【図７】図６に図示の矢印Ｃの方向に向かって見て示した図面である。
【図８】図３に図示の矢印Ａの方向に向かって見て示した図面である。
【発明を実施するための形態】
【００２３】
以下に、本発明を実施するための形態について図面を用いて説明する。但し、以下に述べる実施形態には、本発明を実施するために技術的に好ましい種々の限定が付されているので、本発明の技術的範囲を以下の実施形態及び図示例に限定するものではない。
【００２４】
図１は、ユニット式建物１の概略斜視図である。
このユニット式建物１は、基礎２の上に設置されたものである。このユニット式建物１の下階部３は複数の直方体箱状の建物ユニット１３，１３，…からなる。これら建物ユニット１３，１３…は基礎２上に並べられて、これら建物ユニット１３，１３，…が連結されている。ユニット式建物１の上階部４は複数の直方体箱状の建物ユニット１４，１４，…からなる。これら建物ユニット１４，１４，…は下階部３の建物ユニット１３，１３，…上に並べられて、これら建物ユニット１４，１４，…が連結されている。建物ユニット１４，１４，…はそれぞれの下の建物ユニット１３，１３，…に連結されている。
建物ユニット１３，１３…及び建築ユニット１４，１４，…は、工場から建築現場に輸送されて、クレーン等によって並べられて組み合わせられたものである。
【００２５】
図２に示すように、建物ユニット１４は複数本（４本）の天井梁１４ａ，１４ａ，１４ｂ，１４ｂ、複数本（４本）の床梁１４ｃ，１４ｃ，１４ｄ，１４ｄ及び複数本（４本）の柱１４ｅ，１４ｅ，１４ｅ，１４ｅを有する。これら天井梁１４ａ，１４ａ，１４ｂ，１４ｂ、床梁１４ｃ，１４ｃ，１４ｄ，１４ｄ及び柱１４ｅ，１４ｅ，１４ｅ，１４ｅが直方体状に骨組みされることによって建物ユニット１４が構成される。つまり、天井梁１４ａ，１４ａ，１４ｂ，１４ｂが矩形枠状に組まれ、床梁１４ｃ，１４ｃ，１４ｄ，１４ｄが矩形枠状に組まれ、柱１４ｅ，１４ｅ，１４ｅ，１４ｅの上端が天井梁１４ａ，１４ａ，１４ｂ，１４ｂからなる矩形枠の４つの角にそれぞれ連結され、柱１４ｅ，１４ｅ，１４ｅ，１４ｅの下端が床梁１４ｃ，１４ｃ，１４ｄ，１４ｄからなる矩形枠の４つの角にそれぞれ連結される。建物ユニット１３も建物ユニット１４と同様である。なお、必要に応じて、外装材が建物ユニット１３，１４に取り付けられている。
【００２６】
図１に示すように、上階部４の建物ユニット１４，１４，…上には、小屋床パネル２０，２０，…がそれぞれ設けられている。図３は、建物ユニット１４及びその上に設けられた小屋床パネル２０の平面図である。図３に示すように、建物ユニット１４の天井梁１４ａ，１４ａ，１４ｂ，１４ｂ上に複数の屋根束４，４，…が立設され、これら屋根束４，４，…の下端が建物ユニット１４の天井梁１４ａ，１４ａ，１４ｂ，１４ｂに連結されている。これら屋根束４，４，…の上端に屋根部５（図１参照）が設けられ、屋根部５が屋根束４，４，…によって支持されている。屋根部５は、複数の屋根パネルを組み合わせたものである。屋根部５と小屋床パネル２０，２０，…との間に、小屋裏空間が形成されている。なお、天井梁１４ａ，１４ａが天井梁１４ｂ，１４ｂより短く、天井梁１４ａ，１４ａが矩形枠の長辺となり、天井梁１４ｂ，１４ｂが矩形枠の短辺となる。
【００２７】
小屋床パネル２０は４本の梁材２１，２１，２２，２２及び複数本の小梁２３，２３…を有する。梁材２１，２１，２２，２２が矩形枠状に組まれている。つまり、梁材２１，２１が互いに平行に配置され、梁材２１，２１より短い梁材２２，２２の一方が梁材２１，２１の一端間に架け渡され、もう一方の梁材２２が梁材２１，２１の他端間に架け渡されている。小梁２３，２３…は梁材２１，２１の間に架け渡されている。
【００２８】
小屋床パネル２０は、複数のブラケット３０，３０，…によって、建物ユニット１４の天井梁１４ａ，１４ａ，１４ｂ，１４ｂから上に離れた状態で建物ユニット１４の上に設置されている。小屋床パネル２０の長辺が建物ユニット１４の天井梁１４ａ，１４ａ，１４ｂ，１４ｂからなる矩形枠の長辺に対して平行であり、小屋床パネル２０の短辺が建物ユニット１４の天井梁１４ａ，１４ａ，１４ｂ，１４ｂからなる矩形枠の短辺に対して平行である。また、小屋床パネル２０の長辺が建物ユニット１４の天井梁１４ａ，１４ａ，１４ｂ，１４ｂからなる矩形枠の長辺よりも短く、小屋床パネル２０の短辺が建物ユニット１４の天井梁１４ａ，１４ａ，１４ｂ，１４ｂからなる矩形枠の短辺よりも短い。上から見て、小屋床パネル２０のサイズが建物ユニット１４のサイズよりも小さい。そのため、ブラケット３０を小屋床パネル２０の側面に締結しつつ、ブラケット３０を建物ユニット１４の上面に締結することができる。
【００２９】
図４は、図３に示す矢印Ａの方向に向かって見て示した側面図である。図５は、図４に示す矢印Ｂの方向に向かって見て示した図面である。図４及び図５に示すように、ブラケット３０がボルト４０，４０及びナット４１，４１によって梁材２１の側面に締結されている。このブラケット３０が小屋床パネル２０の梁材２１の下面より下方に延出し、ブラケット３０の下端がボルト５０及びナット５１によって天井梁１４ａの上面に締結され、ブラケット３０が天井梁１４ａの上面に対して立設されている。なお、図４に示すように、天井梁１４ａが断面コ字状に設けられ、梁材２１が角筒状に設けられている。
【００３０】
ブラケット３０は第一取付板部３１、第二取付板部３２及び仮止め板部３３等を有する。第一取付板部３１、第二取付板部３２及び仮止め板部３３が矩形板状に形成され、第一取付板部３１、第二取付板部３２及び仮止め板部３３が一体化されている。
【００３１】
第二取付板部３２は、第一取付板部３１に対して垂直に折り曲げられている。すなわち、第二取付板部３２は、第一取付板部３１の短辺に連結されているとともに、第一取付板部３１の短辺から第一取付板部３１の垂直方向へ延出している。
【００３２】
仮止め板部３３は、第一取付板部３１に対して垂直に折り曲げられている。つまり、仮止め板部３３は、第一取付板部３１の長辺に連結されているとともに、第一取付板部３１の長辺から第一取付板部３１の垂直方向へ延出している。仮止め板部３３が第一取付板部３１の長辺から延び出る向きは、第二取付板部３２が第一取付板部３１の短辺から延び出る向きと同じである。
【００３３】
第一取付板部３１には、通し孔３１ａ，３１ａが形成されている。通し孔３１ａ，３１ａは、第一取付板部３１の二つの短辺のうち、第二取付板部３２が連結されている短辺の反対側の短辺寄りに形成されている。一方、小屋床パネル２０の梁材２１の側面にも、通し孔２１ａ，２１ａが形成されている。通し孔２１ａ，２１ａが通し孔３１ａ，３１ａにそれぞれ重なり、ボルト４０，４０が通し孔３１ａ，３１ａ及び通し孔２１ａ，２１ａにそれぞれ通されて、ナット４１，４１がボルト４０，４０にそれぞれ螺合し、ボルト４０，４０及びナット４１，４１によって梁材２１の側面と第一取付板部３１が締結されている。なお、二組以上のボルト４０・ナット４１によって第一取付板部３１が梁材２１の側面に締結されていてもよい。
【００３４】
第一取付板部３１の長辺が上下方向に延在し、第一取付板部３１が小屋床パネル２０の梁材２１の下面より下方に延出している。第一取付板部３１が天井梁１４ａの上面に対して立った状態に設けられ、第二取付板部３２が天井梁１４ａの上面に伏している。
【００３５】
第二取付板部３２には、通し孔３２ａが形成されている。通し孔３２ａが長穴であり、第一取付板部３１の長辺に沿う方向の通し孔３２ａの長さが第一取付板部３１の法線に沿う方向の長さよりも長い。一方、建物ユニット１４の天井梁１４ａの上面には、通し孔１４ａ１が形成されている。通し孔１４ａ１が通し孔３２ａに重なり、ボルト５０が通し孔３２ａ及び通し孔１４ａ１に通されて、ナット５１がボルト５０に螺合し、ボルト５０及びナット５１によって天井梁１４ａの上面と第二取付板部３２が締結されている。
【００３６】
仮止め板部３３には、通し孔３３ａが形成されている。仮止め板部３３は天井梁１４ａの上面に対して立った状態に設けられている。
【００３７】
小屋床パネル２０が複数のブラケット３０，３０，…によって建物ユニット１４上に取り付けられた状態では、梁材２１，２１，２２，２２の下面が天井梁１４ａ，１４ａ，１４ｂ，１４ｂの上面から上に離間している（図４及び図５参照）。
【００３８】
図３及び図４に示すように、小屋床パネル２０がブラケット３０，３０，…によって建物ユニット１４の上面に本止めされたものを本組体という。
【００３９】
小屋床パネル２０は、建物ユニット１４と一緒に工場から建築現場に輸送される。但し、小屋床パネル２０がブラケット３０，３０，…によって建物ユニット１４の上面に本止めされた状態（図３及び図４参照）で小屋床パネル２０及び建物ユニット１４が輸送されるのではなく、小屋床パネル２０がブラケット３０，３０，…によって建物ユニット１４の上に仮止めされた状態で小屋床パネル２０及び建物ユニット１４が輸送される。仮止め状態について図６及び図７を参照して説明する。図６及び図７は仮止め状態を示した図面であり、図６は図４と同じ方向から見た図面であり、図７は図５と同じ方向から見た図面である。
【００４０】
図６及び図７に示すように、一方のボルト４０及びナット４１によってブラケット３０が梁材２１の側面に締結され、他方のボルト４０及びナット４１が取り外されている。ブラケット３０は、天井梁１４ａの上面に倒伏しているとともに、ボルト５０及びナット５１によって天井梁１４ａの上面に締結されている。
【００４１】
具体的には、第一取付板部３１の短辺が上下方向に延在し、仮止め板部３３が下になり、仮止め板部３３が天井梁１４ａの上面に伏している。そして、一方の通し孔２１ａが一方の通し孔３１ａに重なり、一方のボルト４０が通し孔３１ａ及び通し孔２１ａに通されて、ナット４１がボルト４０に螺合し、ボルト４０及びナット４１によって梁材２１の上面と第一取付板部３１が締結されている。他方の通し孔２１ａは他方の通し孔３１ａからずれている。仮止め板部３３の通し孔３３ａが天井梁１４ａの通し孔１４ａ１に重なって、ボルト５０が通し孔３３ａ及び通し孔１４ａ１に通されて、ナット５１がボルト５０に螺合し、ボルト５０及びナット５１によって天井梁１４ａの上面と仮止め板部３３が締結されている。第二取付板部３２は天井梁１４ａの上面に対して立った状態に設けられている。
【００４２】
小屋床パネル２０が複数のブラケット３０，３０，…によって建物ユニット１４上に仮止めされた状態では、梁材２１，２１，２２，２２の下面と天井梁１４ａ，１４ａ，１４ｂ，１４ｂの上面とは高さが揃っている。
【００４３】
図６及び図７に示すように、小屋床パネル２０がブラケット３０，３０，…によって建物ユニット１４の上面に仮止めされたものを仮組体という。
【００４４】
続いて、ユニット式建物１の建築方法について説明するとともに、建物ユニット１４と小屋床パネル２０の組付方法について説明する。
工場で建物ユニット１３，１３，…を組み立てて、これら建物ユニット１３，１３，…を建築現場に輸送する。建築現場では、基礎２を施工し、建物ユニット１３，１３，…を基礎２上に並べて、これら建物ユニット１３，１３，…を連結する。
【００４５】
工場で建物ユニット１４，１４，…及び小屋床パネル２０，２０，…を組み立てて、小屋床パネル２０，２０，…を建物ユニット１４，１４，…上にそれぞれ仮止めする。
【００４６】
小屋床パネル２０と建物ユニット１４の仮止め方法について具体的に説明する。図６及び図７に示すように、ブラケット３０の仮止め板部３３を建物ユニット１４の天井梁１４ａの上面に伏せるとともに、仮止め板部３３の通し孔３３ａを天井梁１４ａの通し孔１４ａ１に重ねる。そして、ボルト５０を通し孔３３ａ及び通し孔１４ａ１に通し、ナット５１をボルト５０に螺合し、ナット５１とボルト５０によって仮止め板部３３を天井梁１４ａの上面に締結する。
【００４７】
小屋床パネル２０を建物ユニット１４の上に配置して、ブラケット３０の第一取付板部３１を小屋床パネル２０の梁材２１の側面に当接し、第一取付板部３１の一方の通し孔３１ａを梁材２１の一方の通し孔２１ａに重ねる。そして、ボルト４０を通し孔３１ａ及び通し孔２１ａに通し、ナット４１をボルト４０に螺合し、ナット４１とボルト４０によって第一取付板部３１を梁材２１の側面に締結する。ブラケット３０が倒伏しているから、小屋床パネル２０の下面が建物ユニット１４の上面から上に離れていない。そのため、建物ユニット１４の下面から小屋床パネル２０の上面までの高さを低くすることができる。
【００４８】
なお、小屋床パネル２０に取り付ける複数のブラケット３０，３０，…のうち全てを小屋床パネル２０に上述のようにボルト４０及びナット４１によって仮固定するが、これらのブラケット３０，３０，…のうち幾つか（例えば、図３において、天井梁１４ａの中央にあるブラケット３０）を天井梁１４ａに仮固定せず、残りを上述のようにボルト５０及びナット５１によって天井梁１４ａに仮固定する。
【００４９】
このような小屋床パネル２０、ブラケット３０，３０，…及び建物ユニット１４等からなる仮組体を運搬車の荷台に積む。この際、建物ユニット１４を下にし、小屋床パネル２０を建物ユニット１４の上にする。そして、建物ユニット１４と小屋床パネル２０とブラケット３０，３０…を運搬車で建築現場に輸送する。建物ユニット１４の下面から小屋床パネル２０の上面までの高さを低くいので、その高さがが輸送上の高さ制限を超えない。よって、建物ユニット１４と小屋床パネル２０を同便で輸送することができ、輸送コストの削減を図ることができる。
【００５０】
建築現場では、小屋床パネル２０，２０，…を建物ユニット１４，１４，…上にそれぞれ本止めする。
【００５１】
小屋床パネル２０と建物ユニット１４の本止め方法について具体的に説明する。図８に示すように、ナット５１とボルト５０を仮止め板部３３及び天井梁１４ａから外して、仮止め板部３３と天井梁１４ａの締結を解除する。また、ナット４１とボルト４０を緩める。
【００５２】
次に、ボルト４０を中心にしてブラケット３０を回転して、ブラケット３０を立てるとともに、ボルト４０が通されていない通し孔３１ａと通し孔２１ａを重ねる。そして、ボルト４０を通し孔３１ａ及び通し孔２１ａに通し、ナット４１をボルト４０に螺合し、ナット４１とボルト４０によって第一取付板部３１を梁材２１の側面に締結する。更に、先ほど緩めたナット４１とボルト４０を締めて、第一取付板部３１を梁材２１の側面に締結する。以上のように、仮止めの際には、一組のボルト４０・ナット４１によって第一取付板部３１と梁材２１を締結したので作業効率が向上し、本止めの際には、二組のボルト４０・ナット４１によって第一取付板部３１と梁材２１を締結したので、締結力が向上する。
【００５３】
また、立てたブラケット３０の第二取付板部３２を建物ユニット１４の天井梁１４ａの上面に載せて、第二取付板部３２の通し孔３２ａを天井梁１４ａの通し孔１４ａ１に重ねる。そして、ボルト５０を通し孔３２ａ及び通し孔１４ａ１に通し、ナット５１をボルト５０に螺合し、ナット５１とボルト５０によって第二取付板部３２を天井梁１４ａの上面に締結する（図４及び図５参照）。
【００５４】
なお、他のブラケット３０，３０，…についても同様に小屋床パネル２０と建物ユニット１４に締結する。
【００５５】
小屋床パネル２０を建物ユニット１４に本止めした状態では、ブラケット３０が立っているから、小屋床パネル２０の下面が建物ユニット１４の上面から上に離れている。そのため、建物ユニット１４の下面から小屋床パネル２０の上面までの高さを高くすることができる。
【００５６】
小屋床パネル２０，２０，…を建物ユニット１４，１４，…上にそれぞれ本止めした後、建物ユニット１４，１４，…を建物ユニット１３，１３，…上に並べて、これら建物ユニット１４，１４，…を連結するとともに、建物ユニット１４，１４，…と建物ユニット１３，１３，…を連結する。
【００５７】
次に、各建物ユニット１４，１４…の天井梁１４ａ，１４ａ，１４ｂ，１４ｂ上に複数の屋根束４，４，…（図３参照）を立設し、これら屋根束４，４，…の上端に屋根部５（図１参照）を設ける。
【００５８】
小屋床パネル２０がブラケット３０によって建物ユニット１４の上面から上に離れた状態で支持されているので、小屋床パネル２０の梁成を低くしても、建物ユニット１４の下面から小屋床パネル２０の上面までの高さを上階部４の床面から小屋裏の床面までの階段の高さに合わせることができる。
【符号の説明】
【００５９】
１４  建物ユニット
１４ａ，１４ｂ  天井梁
１４ｃ，１４ｄ  床梁
１４ｅ  柱
２０  小屋床パネル
２１，２２  梁材
３０  ブラケット
【図１】
2014037704.tif 000003
【図２】
2014037704.tif 000004
【図３】
2014037704.tif 000005
【図４】
2014037704.tif 000006
【図５】
2014037704.tif 000007
【図６】
2014037704.tif 000008
【図７】
2014037704.tif 000009
【図８】
2014037704.tif 000010